(57)【要約】【課題】電気掃除機用吸込具が、塵埃、あるいは汚水等の付着により汚れた場合には、簡易、かつ迅速に、被清掃面に当接して清掃する部材のみを使い捨てする事ができると共に、被清掃面に当接して清掃する部材のみを着脱して交換する事により、床面、畳、じゅうたん、壁面、天井、タイル面、石材面、階段、台所等の油脂付着面、トイレ、浴室等の水付着面等、いずれの被清掃面にたいしても、好適に使用することができる電気掃除機用吸込具を提供する。【解決手段】被清掃面に付着した塵埃等を吸引する為の電気掃除機に使用する電気掃除機用吸込具において、前記電気掃除機用吸込具は、本体及び清掃部材より形成されてあり、前記本体は前記電気掃除機に連通可能な接続部を有すると共に、前記清掃部材は塵埃等吸引用の吸込口を有し、前記本体にたいして前記清掃部材が着脱可能に装着されてあるものである。【選択図】      図１
2006130255.tif 000002
【特許請求の範囲】
【請求項１】
被清掃面に付着した塵埃等を吸引する為の電気掃除機に使用する電気掃除機用吸込具において、前記電気掃除機用吸込具は本体及び清掃部材より形成されてあり、前記本体は前記電気掃除機に連通可能な接続部を有すると共に、前記清掃部材は塵埃等吸引用の吸込口を有し、前記本体にたいして前記清掃部材が着脱可能に装着されてあることを特徴とする電気掃除機用吸込具。
【請求項２】
請求項１記載の構成よりなる電気掃除機用吸込具において、前記本体にたいして前記清掃部材を装着する事により塵埃等吸引用の吸込口が形成されることを特徴とする電気掃除機用吸込具。
【請求項３】
請求項１あるいは２記載の構成よりなる電気掃除機用吸込具において、前記清掃部材が不織布、織布、紙あるいは合成樹脂発泡体にて形成されてあるか、あるいは前記清掃部材に不織布、織布、紙あるいは合成樹脂発泡体よりなる拭き部材が形成されてあることを特徴とする電気掃除機用吸込具。
【発明の詳細な説明】
【技術分野】
【０００１】  本発明は、被清掃面に付着した塵埃等を吸引する為の電気掃除機に使用する電気掃除機用吸込具に関するものである。
【背景技術】
【０００２】  従来の被清掃面に付着した塵埃等を吸引する為の電気掃除機に使用する電気掃除機用吸込具に関しては、さまざまな改良がなされ、例えば、底面に吸込口を有する床用吸込具の該底面を被掃除面に当接して集塵を吸引する電気掃除機において、前記底面における吸込口の後方および左右のそれぞれに、中央部に起毛布等からなる軟質ブラシ材を有し、かつ該軟質ブラシ材の周囲に植毛ブラシ等からなる硬質ブラシ材を配設して成るブラシを設け前記吸込口の前方を風路として構成したことを特徴とする電気掃除機が、電気掃除機として、特許第２９０３４２７号に開示されてある。【０００３】  また、例えば、略長方形の上下ケースで形成されたノズル本体に、エルボを接続してなる電気掃除機の床ノズルにおいて、前記ノズル本体とエルボとの接続部に、車輪を有し、かつ前記エルボの水平回転と連動して回転する回転板を設けたことを特徴とする電気掃除機の床ノズルが、電気掃除機の床ノズルとして、特許第３４２４１５１号に開示されてある。【０００４】  従来の電気掃除機用吸込具に関しては、上記の如くの改良がされてあるが、特許第２９０３４２７号に開示されてある技術においては、上記の如く、底面における吸込口の後方および左右のそれぞれに、中央部に起毛布等からなる軟質ブラシ材を有し、かつ該軟質ブラシ材の周囲に植毛ブラシ等からなる硬質ブラシ材を配設して成るブラシを設け前記吸込口の前方を風路として構成されてある為、被掃除面に当接して清掃するブラシを着脱する事は不可能であった。また、特許第３４２４１５１号に開示されてある技術においても、被清掃面に当接して清掃する部材を、分解する事無く、迅速に着脱する事は不可能であった。その為、従来の電気掃除機用吸込具においては、被清掃面に当接する部材、あるいは被清掃面に当接して清掃する部材が、塵埃、あるいは汚水等が付着して汚れた場合には、水洗い、布等による拭き取り、あるいは分解の後、洗浄水洗い等をする必要があった。また、水洗い等を実施しない場合、または被清掃面に当接する部材、あるいは被清掃面に当接して清掃する部材が汚れた後、清潔な場所を清掃する場合においては、被清掃面に付着した塵埃等を吸引できるにもかかわらず、電気掃除機用吸込具を廃棄するか、あるいは別の電気掃除機用吸込具を使用する必要があった。【０００５】
【特許文献１】  特許第２９０３４２７号
【特許文献２】  特許第３４２４１５１号
【発明の開示】
【発明が解決しようとする課題】
【０００６】  本発明は、上記のような課題を解決する為になされたもので、電気掃除機用吸込具が、塵埃、あるいは汚水等の付着により汚れた場合には、簡易、かつ迅速に、被清掃面に当接して清掃する部材のみを使い捨てする事ができると共に、被清掃面に当接して清掃する部材のみを着脱して交換する事により、床面、畳、じゅうたん、壁面、天井、タイル面、石材面、階段、台所等の油脂付着面、トイレ、浴室等の水付着面等、いずれの被清掃面にたいしても、好適に使用することができる電気掃除機用吸込具を提供する事を目的としている。
【課題を解決するための手段】
【０００７】  本発明にかかる電気掃除機用吸込具は、次のように構成したものである。
（１）被清掃面に付着した塵埃等を吸引する為の電気掃除機に使用する電気掃除機用吸込具において、前記電気掃除機用吸込具は、本体及び清掃部材より形成されてあり、前記本体は前記電気掃除機に連通可能な接続部を有すると共に、前記清掃部材は塵埃等吸引用の吸込口を有し、前記本体にたいして前記清掃部材が着脱可能に装着されてあるものである。【０００８】  （２）上記（１）記載の電気掃除機用吸込具において、前記本体にたいして前記清掃部材を装着する事により塵埃等吸引用の吸込口が形成されてあるものである。【０００９】  （３）上記（１）あるいは（２）記載の電気掃除機用吸込具において、前記清掃部材が不織布、織布、紙あるいは合成樹脂発泡体にて形成されてあるか、あるいは前記清掃部材に不織布、織布、紙あるいは合成樹脂発泡体よりなる拭き部材が形成されてあるものである。
【発明の効果】
【００１０】  本発明の電気掃除機用吸込具は、次に示すような効果を得ることができる。なお、説明にあたっては、請求項の番号と同じ番号を付して説明する。【００１１】  （１）電気掃除機用吸込具は、本体、及び清掃部材より形成されてあると共に、清掃部材が、穴部を介して、本体を構成する台座の係止部にたいして、勘合して装着されてある。その為、電気掃除機用吸込具は、清掃部材を、必要に応じて、迅速に、着脱できる。また、清掃部材を着脱できる為、清掃部材が塵埃等により汚れた場合には、別の清掃部材と、容易に交換できる。また、使用する被清掃面の場所に応じて、例えば、フローリング床用、じゅうたん用、壁面用、寝具用、自動車内装用等、専用の清掃部材を、適時、着脱して使用できる。【００１２】  また、電気掃除機用吸込具は、清掃部材の材質に、紙が使用されてある為、可撓性あるいは弾性を有している。その為、形状加工が容易で、かつ変形させたり潰したりする事が容易にできる。また、可撓性あるいは弾性を有している為、外部からの衝撃を吸収する事ができると共に、耐衝撃吸収性が高く、かつ、破損しにくい清掃部材を製作できる。また、清掃部材は、紙を使用している為、軽量化をする事ができると共に、一般ごみ、あるいは可燃ごみとして、処理する事ができる。その為、使い捨てする事ができる。また、電気掃除機用吸込具は、本体、及び清掃部材にＡＢＳ樹脂等を使用した場合に比べて、重量を軽くする事ができる。その為、電気掃除機用吸込具は、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、また、寝具、カーテン、ブラインド、衣類等、いずれの被清掃面にたいして使用した場合であっても、掃除する人の疲労を軽減できる為、疲れる事なく、長時間、連続で掃除する事ができる。【００１３】  また、電気掃除機用吸込具は、清掃部材に、塵埃等を吸引する為の吸込口、及び被清掃面に接触して、被清掃面に付着した塵埃等を捕捉、あるいは掻き出す為の凸部が形成されてある為、塵埃等を捕捉、あるいは掻き出すと同時に、吸引する事ができる。その為、塵埃等が、被清掃面に残留する事が無い。また、電気掃除機用吸込具は、清掃部材の下部に形成されてある凸部、及び清掃部材の枠部の下面との間に、段差が形成されてある為、清掃部材は、凸部を、被清掃面に接触させた状態において、互いに隣接して形成されてある凸部の間から、塵埃等を吸引する事ができる。その為、凸部を接触させて捕捉、あるいは掻き出す必要が無い塵埃等を、凸部の間から吸引する事ができる。その為、例えば、フローリング床に、紙屑等が落ちていると共に、塵埃等がこびりついている場合であっても、紙屑等を、凸部の間から吸引すると共に、こびりついている塵埃等を、凸部を接触させて捕捉、あるいは掻き出す事ができる。【００１４】  さらにまた、電気掃除機用吸込具は、複数の凸部が、清掃部材の長手方向にたいして、重合幅が形成されるように、所定の傾斜角度を有して互いに並列に形成されてある。その為、��気掃除機用吸込具を、清掃部材の長手方向にたいして垂直の方向に、移動させて使用した場合には、複数の凸部に形成されてある重合幅が、凸部が接触しない被清掃面が発生する事を防止できる。また、清掃部材の長手方向にたいして平行の方向に、移動させて使用した場合においても、凸部が接触しない被清掃面が発生する事を防止できる。また、清掃部材の傾斜角度にたいして平行の方向に、移動させて使用した場合には、幅にて、凸部を、被清掃面に接触させる事ができる。その為、被清掃面が、例えば、窓、網戸等の下枠の如くの形状の溝部を有する場合においても、凸部を、溝部に挿入させる事ができると共に、溝部の底面、あるいは側面に接触させる事ができる為、溝部の内部の清掃を、迅速、かつ的確にする事ができる。【００１５】  （１）他の実施の形態として、上部に、概箱形状の枠部が形成されてあると共に、枠部の側面に、本体の係止部にたいして勘合して装着する為の穴部が、形成されてあり、清掃部材の下部には、複数の吸込口、及び概円錐形状の凸部が形成されてあり、複数の吸込口、及び凸部は、互いに隣接するように形成されてあり、吸込口は、概円錐形状の凸部の斜面に形成されてあり、吸込口は、概円錐形状の凸部の端部に形成されてあり、清掃部材の材質に、紙が使用されてある清掃部材を使用した場合においては、清掃部材は、概円錐形状の凸部に隣接するように形成されてある吸込口、凸部の斜面に形成されてある吸込口、及び凸部の端部に形成されてある吸込口により、被清掃面に付着した塵埃等を吸引する事ができる。その為、被清掃面が、例えば、じゅうたん、パイル等の被清掃面の如く、付着した塵埃等が内部に入り込んでしまうような場合であっても、清掃部材を、じゅうたん、パイル等の被清掃面に接触させると共に、掻き出す事により、被清掃面の底部に入り込んだ塵埃等は、凸部の端部に形成されてある吸込口にて吸引する事ができる。また、被清掃面の中間部に入り込んだ塵埃等は、凸部の斜面に形成されてある吸込口にて吸引する事ができる。また、被清掃面の表面付近に付着した塵埃等は、概円錐形状の凸部に隣接するように形成されてある吸込口にて吸引する事ができる。その為、清掃部材は、じゅうたん、パイル等の被清掃面に接触させると共に、掻き出す事により、被清掃面の表面付近に付着した塵埃等、被清掃面の中間部に入り込んだ塵埃等、及び被清掃面の底部に入り込んだ塵埃等を、同時に、かつ迅速に清掃する事ができる。また、清掃部材は、凸部が概円錐形状にて形成されてある為、じゅうたん、パイル等の被清掃面にたいして、凸部を円滑、かつ、かじり付く事無く、接触させて、被清掃面の底部まで挿入させる事ができると共に、掻き出す事ができる。【００１６】  （１）他の実施の形態として、上部に、概箱形状の枠部が形成されてあると共に、枠部の側面に、本体の係止部にたいして勘合して装着する為の穴部が、形成されてあり、清掃部材の下部に、複数の概波形形状の凸部からなる清掃片が、形成されてあると共に、清掃部材の略中央部に、枠部及び清掃片を貫通するように、吸込口が形成されてあり、複数の概波形形状の凸部が、清掃片の長手方向にたいして、所定の傾斜角度を有して互いに並列に形成されてあり、清掃片に���差が形成されてあり、複数の接合部にて、枠部、及び清掃片が接合されてあり、清掃部材を構成する枠部、及び清掃片の材質に、紙が使用されてある清掃部材を使用した場合においては、清掃部材は、概箱形状の枠部、及び複数の概波形形状の凸部からなる清掃片が、形成されてあると共に、清掃部材の略中央部には、枠部及び清掃片を貫通するように、吸込口が形成されてある。その為、清掃部材は、被清掃面に付着した塵埃等を、複数の概波形形状の凸部にて捕捉、あるいは掻き出すと同時に、吸込口にて吸引する事ができる。その為、塵埃等が、被清掃面に残留する事が無い。また、複数の概波形形状の凸部が、清掃片の長手方向にたいして、所定の傾斜角度を有して互いに並列に形成されてある為、塵埃等を、概波形形状の凸部の間を通過させて、吸込口に導くことができる。また、清掃片に段差が形成されてある為、塵埃等を、段差が形成されてある概波形形状の凸部の間にて、確実に捕捉する事ができる。その為、被清掃面に塵埃等が残る事が無く、確実に清掃できる。さらにまた、清掃片の材質に不織布を使用した場合には、被清掃面に付着した塵埃等を、不織布が拭き取る事ができる為、清掃部材は、塵埃等を拭き取りながら捕捉、あるいは掻き出しする事ができると共に、吸引する事ができる。【００１７】  （２）電気掃除機用吸込具は、本体の係止部にたいして、清掃部材の穴部を、段差、及び幅が形成されるように、勘合させて装着する事により、塵埃等吸引用の吸込口が形成される。その為、清掃部材に吸込口を形成させる必要が無い為、清掃部材の形状を簡易にする事ができ、安価な清掃部材を製作できる。また、清掃部材の外形形状を、使用目的に応じて設定する事により、本体の形状を変更させる事無く、吸込口の形状、数量、形成箇所を設定できる。例えば、清掃部材の外形形状を概Ｘ字形状に設定した場合には、吸込口は、前後左右の周辺部に４箇所形成させる事ができる。また、電気掃除機用吸込具は、本体の係止部にたいして、清掃部材の穴部を勘合させて装着する事により、段差、及び幅が形成される。その為、使用目的に応じて、最適な吸引力が発生するような段差、及び幅が形成されるように、清掃部材の外形形状を設定する事により、最適な吸引力を有する電気掃除機用吸込具を製作できる。さらにまた、電気掃除機用吸込具は、吸込口を有すると共に、清掃部材の下部に湿式拭き部材が形成されてある為、吸引使用時においては、被清掃面に付着した塵埃等を吸込口から吸引する事ができると共に、吸込口の近傍に形成されてある拭き部材により、塵埃等を拭取る事ができる。その為、吸引使用後においては、例えば、床面等の被清掃面に、ざらつき感が残ることが無くかつ被清掃面を磨き上げる事ができる。【００１８】  （３）清掃部材の下部には、複数の概波形形状の凸部からなる清掃片が、形成されてあると共に、清掃片の下面にたいして、乾式拭き部材が、複数の概波形形状の凸部を形成するように、一体的に接合されてある。また、清掃部材の略中央部には、枠部、清掃片、及び乾式拭き部材を貫通するように、吸込口が形成されてある。その為、電気掃除機用吸込具は、被清掃面にたいして、略中央部に吸込口が形成されてあると共に、複数の概波形形状が形成されてある乾式拭き部材を、接触させる事ができる。その為、電気掃除機用吸込具は、被清掃面に付着した塵埃等を、複数の概波形形状の凸部からなる清掃片が、乾式拭き部材を介して掻き出す事ができると共に、複数の概波形形状の凸部からなる乾式拭き部材により、塵埃等を拭取る事ができる。また、被清掃面に付着した塵埃等を吸込口から吸引する事ができる。その為、吸引使用後においては、例えば、床面等の被清掃面に塵埃等が強靭にこびりついている場合であっても、確実に、塵埃等を掻き出す事ができると共に、拭取る事ができる為、被清掃面に、ざらつき感等が残ることが無く、被清掃面を磨き上げる事ができる。【００１９】  また、清掃片に形成されてある複数の概波形形状の凸部、及び乾式拭き部材に形成されてある複数の概波形形状の凸部が、清掃片、及び乾式拭き部材の長手方向にたいして、所定の傾斜角度を有して、互いに並列に形成されてある為、塵埃等を、概波形形状の凸部の間を通過させて、吸込口に導くことができる。また、枠部と乾式拭き部材との間には、段差が形成されてある為、塵埃等を、乾式拭き部材に形成されてある複数の概波形形状の凸部の間にて、確実に捕捉する事ができる。その為、被清掃面に塵埃等が残る事が無く、確実に清掃できる。【００２０】  （３）他の実施の形態として、上部に、概箱形状の枠部が形成されてあると共に、枠部の側面に、穴部が形成されてあり、本体を構成する台座の係止部にたいして、着脱可能に装着されてあり、枠部の下部に、複数の概波形形状の凸部からなる清掃片が、複数の接合部により、接合されてあり、清掃片の下部に、乾式拭き部材が、複数の接合部により、接合されてある清掃部材を使用した場合においては、清掃部材は、枠部の下部に、複数の概波形形状の凸部からなる清掃片が、複数の接合部により、接合されてあると共に、清掃片の下部に、乾式拭き部材が、複数の接合部により、接合されてある。その為、清掃部材は、被清掃面にたいして、乾式拭き部材の全面を、接触させる事ができる為、拭き残りを発生させること無く、迅速に清掃する事ができる。
【発明を実施するための最良の形態】
【００２１】  電気掃除機用吸込具が、塵埃、あるいは汚水等の付着により汚れた場合には、簡易、かつ迅速に、被清掃面に当接して清掃する部材のみを使い捨てする事ができると共に、被清掃面に当接して清掃する部材のみを着脱して交換する事により、床面、畳、じゅうたん、壁面、天井、タイル面、石材面、階段、台所等の油脂付着面、トイレ、浴室等の水付着面等、いずれの被清掃面にたいしても、好適に使用することができる電気掃除機用吸込具を提供するという目的を、被清掃面に付着した塵埃等を吸引する為の電気掃除機に使用する電気掃除機用吸込具において、前記電気掃除機用吸込具は、本体及び清掃部材より形成されてあり、前記本体は前記電気掃除機に連通可能な接続部を有すると共に、前記清掃部材は塵埃等吸引用の吸込口を有し、前記本体にたいして前記清掃部材が着脱可能に装着されてある構成において実現した。
【実施例１】
【００２２】  図１から図９にて実施例１を示す。図１は、本発明の電気掃除機用吸込具を前面側から見た斜視図である。図１において、１は電気掃除機用吸込具、２は本体、３は清掃部材、４は接続部、５は吸込口、６は係止部、７は台座、８は凸部、９は穴部、５７は筒状体である。図２は、図１に使用する本体を前面側から見た斜視図である。図２において、１０は開口である。図３は、図１に使用する清掃部材を前面側から見た斜視図である。図３において、３２は枠部、４０は段差である。図４は、図３の清掃部材の平面図である。図４において、３８は幅、６４は傾斜角度、６５は重合幅である。図５は、実施例１の他の実施の形態の清掃部材を前面側から見た斜視図である。図５において、１３は清掃部材、１５、５５、７５は吸込口、１８は凸部、１９は穴部、４２は枠部である。図６は、図５の清掃部材の平面図である。図７は、実施例１の他の実施の形態の清掃部材を前面側から見た斜視図である。図７において、２３は清掃部材、２５は吸込口、２８は凸部、２９は穴部、５２は枠部、７３は清掃片である。図８は、図７の清掃部材の平面図である。図８において、７４は傾斜角度である。図９は、図７の清掃部材の正面図である。図９において５０は段差、６６は接合部である。【００２３】  本発明の電気掃除機用吸込具１は、図１の如く、本体２、及び清掃部材３より形成されてある。本体２は、電気掃除機に連通可能な接続部４を有する筒状体５７、及び概箱形状の台座７より形成されてあり、筒状体５７は、台座７にたいして回動自在に装着されてある。清掃部材３には、塵埃等を吸引する為の吸込口５、及び被清掃面に接触して、被清掃面に付着した塵埃等を捕捉、あるいは掻き出す為の凸部８が形成されてある。本体２は、図２の如く、台座７の側面に、清掃部材３を装着する為の係止部６が形成されてあると共に、台座７の下面には、開口１０が形成されてある。清掃部材３は、図３の如く、上部に、概箱形状の枠部３２が形成されてあると共に、枠部３２の側面に、本体２の係止部６にたいして勘合して装着する為の穴部９が、形成されてあり、本体２を構成する台座７の係止部６にたいして、着脱可能に装着されてある。また、清掃部材３の下部には、複数の吸込口５、及び凸部８が形成されてあり、凸部８、及び枠部３２の下面との間には、段差４０が形成されてある。また、複数の吸込口５、及び凸部８は、図４の如く、互いに隣接するように形成されてある。また、複数の凸部８は、清掃部材３の長手方向にたいして、重合幅６５が形成されるように、所定の傾斜角度６４を有して、幅３８にて、互いに並列に形成されてある。【００２４】  また、電気掃除機用吸込具１を構成する本体２の材質には、合成樹脂の一種であるＡＢＳ樹脂が使用されてあり、清掃部材３の材質には、紙が使用されてある。清掃部材３の製作方法は、紙を曲げるか折るか重ね合わせる事により、図３の如くの形状を製作するか、あるいは、接着剤を混合させた溶媒に、細かく粉砕した紙を撹拌混合したスラリ状の原料を、型に流し込んでプレス成形の上、乾燥させる事により、図３の如くの形状を製作する方法を使用する事ができる。また、例えば、鋏、カッター等を使用して、紙を切断する方法を使用したり、トムソン型等を使用して、プレス打ち抜きする方法を使用する事もできる。また、清掃部材３は、穴部９を介して、台座７の係止部６にたいして、勘合して装着されてあり、適時、着脱する事ができる。【００２５】  実施例１の電気掃除機用吸込具１は、上記の如くの構成となっているので、電気掃除機用吸込具１は、本体２、及び清掃部材３より形成されてあると共に、清掃部材３が、穴部９を介して、本体２を構成する台座７の係止部６にたいして、勘合して装着されてある。その為、電気掃除機用吸込具１は、清掃部材３を、必要に応じて、迅速に、着脱できる。また、清掃部材３を着脱できる為、清掃部材３が塵埃等により汚れた場合には、別の清掃部材３と、容易に交換できる。また、使用する被清掃面の場所に応じて、例えば、フローリング床用、じゅうたん用、壁面用、寝具用、自動車内装用等、専用の清掃部材３を、適時、着脱して使用できる。【００２６】  また、電気掃除機用吸込具１は、清掃部材３の材質に、紙が使用されてある為、可撓性あるいは弾性を有している。その為、形状加工が容易で、かつ変形させたり潰したりする事が容易にできる。また、可撓性あるいは弾性を有している為、外部からの衝撃を吸収する事ができると共に、耐衝撃吸収性が高く、かつ、破損しにくい清掃部材３を製作できる。また、清掃部材３は、紙を使用している為、軽量化をする事ができると共に、一般ごみ、あるいは可燃ごみとして、処理する事ができる。その為、使い捨てする事ができる。また、電気掃除機用吸込具１は、本体２、及び清掃部材３にＡＢＳ樹脂等を使用した場合に比べて、重量を軽くする事ができる。その為、電気掃除機用吸込具１は、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、また、寝具、カーテン、ブラインド、衣類等、いずれの被清掃面にたいして使用した場合であっても、掃除する人の疲労を軽減できる為、疲れる事なく、長時間、連続で掃除する事ができる。【００２７】  また、電気掃除機用吸込具１は、清掃部材３に、塵埃等を吸引する為の吸込口５、及び被清掃面に接触して、被清掃面に付着した塵埃等を捕捉、あるいは掻き出す為の凸部８が形成されてある為、塵埃等を捕捉、あるいは掻き出すと同時に、吸引する事ができる。その為、塵埃等が、被清掃面に残留する事が無い。また、電気掃除機用吸込具１は、清掃部材３の下部に形成されてある凸部８、及び清掃部材３の枠部３２の下面との間に、段差４０が形成されてある為、清掃部材３は、凸部８を、被清掃面に接触させた状態において、互いに隣接して形成されてある凸部８の間から、塵埃等を吸引する事ができる。その為、凸部８を接触させて捕捉、あるいは掻き出す必要が無い塵埃等を、凸部８の間から吸引する事ができる。その為、例えば、フローリング床に、紙屑等が落ちていると共に、塵埃等がこびりついている場合であっても、紙屑等を、凸部８の間から吸引すると共に、こびりついている塵埃等を、凸部８を接触させて捕捉、あるいは掻き出す事ができる。【００２８】  さらにまた、電気掃除機用吸込具１は、複数の凸部８が、清掃部材３の長手方向にたいして、重合幅６５が形成されるように、所定の傾斜角度６４を有して互いに並列に形成されてある。その為、電気掃除機用吸込具１を、清掃部材３の長手方向にたいして垂直の方向に、移動させて使用した場合には、複数の凸部８に形成されてある重合幅６５が、凸部８が接触しない被清掃面が発生する事を防止できる。また、清掃部材３の長手方向にたいして平行の方向に、移動させて使用した場合においても、凸部８が接触しない被清掃面が発生する事を防止できる。また、清掃部材３の傾斜角度６４にたいして平行の方向に、移動させて使用した場合には、幅３８にて、凸部８を、被清掃面に接触させる事ができる。その為、被清掃面が、例えば、窓、網戸等の下枠の如くの形状の溝部を有する場合においても、凸部８を、溝部に挿入させる事ができると共に、溝部の底面、あるいは側面に接触させる事ができる為、溝部の内部の清掃を、迅速、かつ的確にする事ができる。【００２９】  実施例１の電気掃除機用吸込具１は、上記の如くの構成となっているが、本体２にたいする清掃部材３の装着方法については、上記の如く、本体２を構成する台座７の係止部６にたいして、清掃部材３が、穴部９を介して、勘合して装着されてある方法以外にも、適時、着脱する事ができる方法であるならば、接着剤、両面テープ、粘着テープ、ホッチキス、粘着剤、圧着、溶着、挟み込み、縫製、面ファスナー等を使用した方法を採用する事ができる。例えば、本体２を構成する台座７の下部に、スライド溝を形成した後、清掃部材３の上部を、スライド溝にたいして挿入して装着する方法を採用したり、両面テープ、粘着テープ、あるいは面ファスナーを、本体２にたいする清掃部材３の装着に使用したり粘着材を本体２、あるいは清掃部材３の装着面に塗布する事により装着する方法を採用する等、使用目的に応じて、適時、設定できる。また、本体２の形状については、例えば、筒状体５７の長手方向の長さを約８０ｃｍから約１ｍに設定する等、使用目的に応じて、設定できる。上記の如くの設定をした場合には、紙が使用されてある清掃部材３にて形成された約８０ｃｍから約１ｍの長さを有する筒状体５７からなる電気掃除機用吸込具１を使用できる為、例えば、天井、壁面等にたいして、長時間、連続で掃除した場合であっても、疲労する事無く、掃除する事ができる。【００３０】  次に、図５、及び図６にて、実施例１の他の実施の形態の清掃部材を説明する。他の実施の形態の清掃部材１３は、図５の如く、上部には、概箱形状の枠部４２が形成されてあると共に、枠部４２の側面には、本体２の係止部６にたいして勘合して装着する為の穴部１９が、形成されてある。また、清掃部材１３の下部には、複数の吸込口１５、５５、７５、及び概円錐形状の凸部１８が形成されてある。また、複数の吸込口１５、及び凸部１８は、図６の如く、互いに隣接するように形成されてある。また、吸込口５５は、概円錐形状の凸部１８の斜面に形成されてあり、吸込口７５は、概円錐形状の凸部１８の端部に形成されてある。また、清掃部材１３の材質には、紙が使用されてある。【００３１】  実施例１の他���実施の形態の清掃部材１３は、上記の如くの構成となっているので、清掃部材１３は、概円錐形状の凸部１８に隣接するように形成されてある吸込口１５、凸部１８の斜面に形成されてある吸込口５５、及び凸部１８の端部に形成されてある吸込口７５により、被清掃面に付着した塵埃等を吸引する事ができる。その為、被清掃面が、例えば、じゅうたん、パイル等の被清掃面の如く、付着した塵埃等が内部に入り込んでしまうような場合であっても、清掃部材１３を、じゅうたん、パイル等の被清掃面に接触させると共に、掻き出す事により、被清掃面の底部に入り込んだ塵埃等は、凸部１８の端部に形成されてある吸込口７５にて吸引する事ができる。また、被清掃面の中間部に入り込んだ塵埃等は、凸部１８の斜面に形成されてある吸込口５５にて吸引する事ができる。また、被清掃面の表面付近に付着した塵埃等は、概円錐形状の凸部１８に隣接するように形成されてある吸込口１５にて吸引する事ができる。その為、清掃部材１３は、じゅうたん、パイル等の被清掃面に接触させると共に、掻き出す事により、被清掃面の表面付近に付着した塵埃等、被清掃面の中間部に入り込んだ塵埃等、及び被清掃面の底部に入り込んだ塵埃等を、同時に、かつ迅速に清掃する事ができる。また、清掃部材１３は、凸部１８が概円錐形状にて形成されてある為、じゅうたん、パイル等の被清掃面にたいして、凸部１８を円滑、かつ、かじり付く事無く、接触させて、被清掃面の底部まで挿入させる事ができると共に、掻き出す事ができる。【００３２】  実施例１の他の実施の形態の清掃部材１３は、上記の如くの構成となっているが、凸部１８の形状については、上記の如く、概円錐形状以外にも、例えば、概角錐形状等、使用目的に応じて、適時、設定できる。また、吸込口１５、５５、７５の有無についても、清掃部材１３に、吸込口１５、５５、７５のいずれかの吸込口が形成されてあれば良く、使用目的に応じて、適時、吸込口１５、５５、７５の有無を設定できる。【００３３】  次に、図７から図９にて、実施例１の他の実施の形態の清掃部材を説明する。他の実施の形態の清掃部材２３は、図７の如く、上部には、概箱形状の枠部５２が形成されてあると共に、枠部５２の側面には、本体２の係止部６にたいして勘合して装着する為の穴部２９が、形成されてある。また、清掃部材２３の下部には、複数の概波形形状の凸部２８からなる清掃片７３が、形成されてあると共に、清掃部材２３の略中央部には、枠部５２及び清掃片７３を貫通するように、吸込口２５が形成されてある。また、図８の如く、複数の概波形形状の凸部２８が、清掃片７３の長手方向にたいして、所定の傾斜角度７４を有して互いに並列に形成されてある。また、清掃部材２３は、図９の如く、清掃片７３に段差５０が形成されてあり、複数の接合部６６にて、枠部５２、及び清掃片７３が接合されてある。また、清掃部材２３を構成する枠部５２、及び清掃片７３の材質には、紙が使用されてある。清掃片７３の材質については、例えば、清掃片７３が、拭き性能を必要とする場合等、使用目的に応じて、不織布を使用することもできる。【００３４】  実施例１の他の実施の形態の清掃部材２３は、上記の如くの構成となっているので、清���部材２３は、概箱形状の枠部５２、及び複数の概波形形状の凸部２８からなる清掃片７３が、形成されてあると共に、清掃部材２３の略中央部には、枠部５２及び清掃片７３を貫通するように、吸込口２５が形成されてある。その為、清掃部材２３は、被清掃面に付着した塵埃等を、複数の概波形形状の凸部２８にて捕捉、あるいは掻き出すと同時に、吸込口２５にて吸引する事ができる。その為、塵埃等が、被清掃面に残留する事が無い。また、複数の概波形形状の凸部２８が、清掃片７３の長手方向にたいして、所定の傾斜角度７４を有して互いに並列に形成されてある為、塵埃等を、概波形形状の凸部２８の間を通過させて、吸込口２５に導くことができる。また、清掃片７３に段差５０が形成されてある為、塵埃等を、段差５０が形成されてある概波形形状の凸部２８の間にて、確実に捕捉する事ができる。その為、被清掃面に塵埃等が残る事が無く、確実に清掃できる。さらにまた、清掃片７３の材質に不織布を使用した場合には、被清掃面に付着した塵埃等を、不織布が拭き取る事ができる為、清掃部材２３は、塵埃等を拭き取りながら捕捉、あるいは掻き出しする事ができると共に、吸引する事ができる。【００３５】  実施例１の他の実施の形態の清掃部材２３は、上記の如くの構成となっているが、吸込口２５の形状、数量、形成箇所については、上記の如く、清掃部材２３の略中央部以外にも、例えば、清掃部材２３の前後左右の周辺部に４箇所形成する等、使用目的に応じて、適時、設定できる。また、傾斜角度７４の形成状態についても、例えば、略中央部にたいして左右対称の概Ｖ字形状に形成する等、使用目的に応じて、適時、設定できる。
【実施例２】
【００３６】  図１０から図１２にて実施例２を示す。図１０は、本発明の電気掃除機用吸込具を前面側から見た斜視図である。図１０において、１１は電気掃除機用吸込具、１２は本体、１４は接続部、１６は係止部、１７は台座、３３は清掃部材、３５は吸込口、３９は穴部、６７は筒状体、６９は湿式拭き部材である。図１１は、図１０の電気掃除機用吸込具の側面図である。図１１において、６０は段差、６２は枠部、６８は幅である。図１２は、図１０の電気掃除機用吸込具の平面図である。【００３７】  本発明の電気掃除機用吸込具１１は、図１０の如く、本体１２、及び清掃部材３３より形成されてある。本体１２は、電気掃除機に連通可能な接続部１４を有する筒状体６７、及び概箱形状の台座１７より形成されてあり、筒状体６７は、台座１７にたいして回動自在に装着されてある。本体１２は、台座１７の側面に、清掃部材３３を装着する為の係止部１６が形成されてある。清掃部材３３は、図１１の如く、上部に、概コの字形状の枠部６２が形成されてあると共に、枠部６２の側面には、本体１２の係止部１６にたいして勘合して装着する為の穴部３９が、形成されてある。また、清掃部材３３の下部には、湿式拭き部材６９が形成されてあり、枠部６２にたいして接合されてある。また、電気掃除機用吸込具１１は、図１１、及び図１２の如く、本体１２の係止部１６にたいして、清掃部材３３の穴部３９を、段差６０、及び幅６８が形成されるように、勘合させて装着する事により、塵埃等吸引用の吸込口３５が形成されてある。【００３８】  また、電気掃除機用吸込具１１を構成する本体１２の材質には、合成樹脂の一種であるＡＢＳ樹脂が使用されてあり、清掃部材３３を構成する枠部６２の材質には、紙が使用されてある。また、清掃部材３３を構成する湿式拭き部材６９の材質には、合成樹脂発泡体が使用されてある。使用する合成樹脂発泡体の種類については、水分等を含浸、あるいは付着させることが可能な材質であるならば、使用目的に応じて、適時、設定できるが、例えば、ポリエチレン、ウレタン、エチレンビニルアセテート、エチレンエチルアクリレート等を使用した多孔質スポンジ状シート等が設定できる。また、枠部６２の製作方法は、紙を曲げるか折るか重ね合わせるか、あるいは、接着剤を混合させた溶媒に、細かく粉砕した紙を撹拌混合したスラリ状の原料を、型に流し込んでプレス成形の上、乾燥させる事により製作する方法を使用する事ができる。また、例えば、鋏、カッター等を使用して、紙を切断する方法を使用したり、トムソン型等を使用して、プレス打ち抜きする方法を使用する事もできる。また、清掃部材３３は、穴部３９を介して、台座１７の係止部１６にたいして、勘合して装着されてあり、適時、着脱する事ができる。【００３９】  実施例２の電気掃除機用吸込具１１は、上記の如くの構成となっているので、電気掃除機用吸込具１１は、本体１２の係止部１６にたいして、清掃部材３３の穴部３９を、段差６０、及び幅６８が形成されるように、勘合させて装着する事により、塵埃等吸引用の吸込口３５が形成される。その為、清掃部材３３に吸込口を形成させる必要が無い為、清掃部材３３の形状を簡易にする事ができ、安価な清掃部材３３���製作できる。また、清掃部材３３の外形形状を、使用目的に応じて設定する事により、本体１２の形状を変更させる事無く、吸込口の形状、数量、形成箇所を設定できる。例えば、清掃部材３３の外形形状を概Ｘ字形状に設定した場合には、吸込口は、前後左右の周辺部に４箇所形成させる事ができる。また、電気掃除機用吸込具１１は、本体１２の係止部１６にたいして、清掃部材３３の穴部３９を勘合させて装着する事により、段差６０、及び幅６８が形成される。その為、使用目的に応じて、最適な吸引力が発生するような段差６０、及び幅６８が形成されるように、清掃部材３３の外形形状を設定する事により、最適な吸引力を有する電気掃除機用吸込具１１を製作できる。さらにまた、電気掃除機用吸込具１１は、吸込口３５を有すると共に、清掃部材３３の下部に湿式拭き部材６９が形成されてある為、吸引使用時においては、被清掃面に付着した塵埃等を吸込口３５から吸引する事ができると共に、吸込口３５の近傍に形成されてある拭き部材６９により、塵埃等を拭取る事ができる。その為、吸引使用後においては、例えば、床面等の被清掃面に、ざらつき感が残ることが無くかつ被清掃面を磨き上げる事ができる。【００４０】  実施例２の電気掃除機用吸込具１１は、上記の如くの構成となっているが、湿式拭き部材６９の材質については、上記以外にも、紙、不織布、あるいは織布を使用する事ができる。拭き部材６９の材質として不織布、あるいは織布が使用されてある場合には、被清掃面にたいする摩擦力を向上させる事ができる為、拭き部材６９は、極めて高い塵埃捕捉性を有する事ができる。また、拭き部材６９の材質として紙、あるいは紙製の不織布を使用した場合においては、軽量化、及び一般ごみ、あるいは可燃ごみとしての処理が可能であると共に、極めて高い塵埃捕捉性を有する事ができる。また、使用目的に応じて、湿式拭き部材６９の代わりに、乾式の拭き部材を使用する事もできる。さらにまた、本体１２にたいする清掃部材３３の装着方法については、上記の如く、本体１２を構成する台座１７の係止部１６にたいして、清掃部材３３が、穴部３９を介して、勘合して装着されてある方法以外にも、適時、着脱する事ができる方法であるならば、接着剤、両面テープ、粘着テープ、ホッチキス、粘着剤、圧着、溶着、挟み込み、縫製、面ファスナー等を使用した方法を採用する事ができる。
【実施例３】
【００４１】  図１３から図１７にて実施例３を示す。図１３は、本発明の電気掃除機用吸込具を前面側から見た斜視図である。図１３において、２１は電気掃除機用吸込具、２２は本体、２４は接続部、２６は係止部、２７は台座、４３は清掃部材、４５は吸込口、４９は穴部、７７は筒状体である。図１４は、図１３に使用する清掃部材を前面側から見た斜視図である。図１４において、４８、７８は凸部、７２は枠部、７９は乾式拭き部材、８３は清掃片である。図１５は、図１４の清掃部材の平面図である。図１５において、８４は傾斜角度である。図１６は、図１４の清掃部材の正面図である。図１６において、７０は段差、７６は接合部である。図１７は、実施例３の他の実施の形態の清掃部材の正面図である。図１７において、５３は清掃部材、５８は凸部、８０は段差、８２は枠部、８６、９６は接合部、８９は乾式拭き部材、９３は清掃片である。【００４２】  本発明の電気掃除機用吸込具２１は、図１３の如く、本体２２、及び清掃部材４３より形成されてある。本体２２は、電気掃除機に連通可能な接続部２４を有する筒状体７７、及び概箱形状の台座２７より形成されてあり、筒状体７７は、台座２７にたいして回動自在に装着されてある。本体２２は、台座２７の側面に、清掃部材４３を装着する為の係止部２６が形成されてある。清掃部材４３の側面には、本体２２の係止部２６にたいして勘合して装着する為の穴部４９が形成されてあり、下面には、塵埃等を吸引する為の吸込口４５が形成されてある。清掃部材４３は、図１４の如く、上部に、概箱形状の枠部７２が形成されてあると共に、枠部７２の側面には、穴部４９が形成されてあり、本体２２を構成する台座２７の係止部２６にたいして、着脱可能に装着されてある。また、清掃部材４３の下部には、複数の概波形形状の凸部４８からなる清掃片８３が、形成されてあると共に、清掃片８３の下面にたいして、乾式拭き部材７９が、複数の概波形形状の凸部７８を形成するように、一体的に接合されてある。また、清掃部材４３の略中央部には、枠部７２、清掃片８３、及び乾式拭き部材７９を貫通するように吸込口４５が形成されてある。また、図１５の如く、複数の概波形形状の凸部７８は、乾式拭き部材７９の長手方向にたいして、所定の傾斜角度８４を有して互いに並列に形成されてある。また、清掃部材４３は、図１６の如く、枠部７２の下部に、段差７０が形成されてあり、複数の接合部７６にて、枠部７２、及び清掃片８３が接合されてある。【００４３】  また、電気掃除機用吸込具２１を構成する本体２２の材質には、合成樹脂の一種であるＡＢＳ樹脂が使用されてあり、清掃部材４３を構成する枠部７２、及び清掃片８３の材質には、紙が使用されてある。また、乾式拭き部材７９には、不織布が使用されてある。清掃部材４３の材質としては、上記の紙以外にも、不織布、織布、あるいは合成樹脂発泡体を使用できる。また、乾式拭き部材７９の材質としては、上記の不織布以外にも、織布、紙、あるいは合成樹脂発泡体を使用できる。また、枠部７２、及び清掃片８３の製作方法は、紙を曲げるか折るか重ね合わせるか、あるいは、接着剤を混合させた溶媒に、細かく粉砕した紙を撹拌混合したスラリ状の原料を、型に流し込んでプレス成形の上、乾燥させる事により製作する方法を、使用する事ができる。また、例えば、鋏、カッター等を使用して、紙を切断する方法を使用したり、トムソン型等を使用して、プレス打ち抜きする方法を使用する事もできる。また、乾式拭き部材７９、及び清掃片８３の接合方法としては接着剤、両面テープ、粘着テープ、ホッチキス、粘着剤、圧着、溶着、挟み込み、縫製、面ファスナー等の方法が使用できる。【００４４】  実施例３の電気掃除機用吸込具２１は、上記の如くの構成となっているので、清掃部材４３の下部には、複数の概波形形状の凸部４８からなる清掃片８３が、形成されてあると共に、清掃片８３の下面にたいして、乾式拭き部材７９が、複数の概波形形状の凸部７８を形成するように、一体的に接合されてある。また、清掃部材４３の略中央部には、枠部７２、清掃片８３、及び乾式拭き部材７９を貫通するように、吸込口４５が形成されてある。その為、電気掃除機用吸込具２１は、被清掃面にたいして、略中央部に吸込口４５が形成されてあると共に、複数の概波形形状が形成されてある乾式拭き部材７９を、接触させる事ができる。その為、電気掃除機用吸込具２１は、被清掃面に付着した塵埃等を、複数の概波形形状の凸部４８からなる清掃片８３が、乾式拭き部材７９を介して掻き出す事ができると共に、複数の概波形形状の凸部７８からなる乾式拭き部材７９により、塵埃等を拭取る事ができる。また、被清掃面に付着した塵埃等を吸込口４５から吸引する事ができる。その為、吸引使用後においては、例えば、床面等の被清掃面に塵埃等が強靭にこびりついている場合であっても、確実に、塵埃等を掻き出す事ができると共に、拭取る事ができる為、被清掃面に、ざらつき感等が残ることが無く、被清掃面を磨き上げる事ができる。【００４５】  また、清掃片８３に形成されてある複数の概波形形状の凸部４８、及び乾式拭き部材７９に形成されてある複数の概波形形状の凸部７８が、清掃片８３、及び乾式拭き部材７９の長手方向にたいして、所定の傾斜角度８４を有して、互いに並列に形成されてある為、塵埃等を、概波形形状の凸部７８の間を通過させて、吸込口４５に導くことができる。また、枠部７２と乾式拭き部材７９との間には、段差７０が形成されてある為、塵埃等を、乾式拭き部材７９に形成されてある複数の概波形形状の凸部７８の間にて、確実に捕捉する事ができる。その為、被清掃面に塵埃等が残る事が無く、確実に清掃できる。【００４６】  実施例３の電気掃除機用吸込具２１は、上記の如くの構成となっているが、清掃片８３及び乾式拭き部材７９の形状については、上記の如くの、複数の概波形形状の凸部が形成されてある構成以外にも、例えば、概歯形形状、概歯切形状、概Ｒ凹凸形状等、使用目的に応じて、適時、設定できる。また、使用目的に応じて、乾式拭き部材７９の代わりに、湿式の拭き部材を使用する事もできる。また、本体２２にたいする清掃部材４３の装着方法についても、上記の如く、本体２２を構成する台座２７の係止部２６にたいして、清掃部材４３が、穴部４９を介して、勘合して装着されてある方法以外にも、適時、着脱する事ができる方法であるならば、接着剤、両面テープ、粘着テープ、ホッチキス、粘着剤、圧着、溶着、挟み込み、縫製、面ファスナー等を使用した方法を採用する事ができる。【００４７】  次に、図１７にて、実施例３の他の実施の形態の清掃部材を説明する。他の実施の形態の清掃部材５３は、上部に、概箱形状の枠部８２が形成されてあると共に、枠部８２の側面には、穴部が形成されてあり、本体２２を構成する台座２７の係止部２６にたいして、着脱可能に装着されてある。また、枠部８２の下部には、複数の概波形形状の凸部５８からなる清掃片９３が、複数の接合部８６により、接合されてある。また、清掃片９３の下部には、乾式拭き部材８９が、複数の接合部９６により、接合されてある。【００４８】  実施例３の他の実施の形態の清掃部材５３は、上記の如くの構成となっているので、清掃部材５３は、枠部８２の下部に、複数の概波形形状の凸部５８からなる清掃片９３が、複数の接合部８６により、接合されてあると共に、清掃片９３の下部に、乾式拭き部材８９が、複数の接合部９６により、接合されてある。その為、清掃部材５３は、被清掃面にたいして、乾式拭き部材８９の全面を、接触させる事ができる為、拭き残りを発生させること無く、迅速に清掃する事ができる。
【産業上の利用可能性】
【００４９】  本発明の電気掃除機用吸込具は、被清掃面に付着した塵埃等を吸引する為の電気掃除機に使用するものである。具体的には、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、また、寝具、カーテン、ブラインド、衣類等、いずれの被清掃面にたいしても、好適に使用することができる。
【図面の簡単な説明】
【００５０】
【図１】  本発明の電気掃除機用吸込具を前面側から見た斜視図である。
【図２】  図１に使用する本体を前面側から見た斜視図である。
【図３】  図１に使用する清掃部材を前面側から見た斜視図である。
【図４】  図３の清掃部材の平面図である。
【図５】  実施例１の他の実施の形態の清掃部材を前面側から見た斜視図である。
【図６】  図５の清掃部材の平面図である。
【図７】  実施例１の他の実施の形態の清掃部材を前面側から見た斜視図である。
【図８】  図７の清掃部材の平面図である。
【図９】  図７の清掃部材の正面図である。
【図１０】  本発明の電気掃除機用吸込具を前面側から見た斜視図である。
【図１１】  図１０の電気掃除機用吸込具の側面図である。
【図１２】  図１０の電気掃除機用吸込具の平面図である。
【図１３】  本発明の電気掃除機用吸込具を前面側から見た斜視図である。
【図１４】  図１３に使用する清掃部材を前面側から見た斜視図である。
【図１５】  図１４の清掃部材の平面図である。
【図１６】  図１４の清掃部材の正面図である。
【図１７】  実施例３の他の実施の形態の清掃部材の正面図である。
【符号の説明】
【００５１】  １、１１、２１  電気掃除機用吸込具  ２、１２、２２  本体
３、１３、２３、３３、４３、５３  清掃部材  ４、１４、２４  接続部
５、１５、２５、３５、４５、５５、７５  吸込口  ６、１６、２６  係止部
７、１７、２７  台座  ８、１８、２８、４８、５８、７８  凸部
９、１９、２９、３９、４９  穴部  １０  開口
３２、４２、５２、６２、７２、８２  枠部  ３８、６８  幅
４０、５０、６０、７０、８０  段差  ５７、６７、７７  筒状体
６４、７４、８４  傾斜角度  ６５  重合幅  ６６、７６、８６、９６  接合部
６９  湿式拭き部材  ７３、８３、９３  清掃片  ７９  乾式拭き部材
【図１】
2006130255.tif 000003
【図２】
2006130255.tif 000004
【図３】
2006130255.tif 000005
【図４】
2006130255.tif 000006
【図５】
2006130255.tif 000007
【図６】
2006130255.tif 000008
【図７】
2006130255.tif 000009
【図８】
2006130255.tif 000010
【図９】
2006130255.tif 000011
【図１０】
2006130255.tif 000012
【図１１】
2006130255.tif 000013
【図１２】
2006130255.tif 000014
【図１３】
2006130255.tif 000015
【図１４】
2006130255.tif 000016
【図１５】
2006130255.tif 000017
【図１６】
2006130255.tif 000018
【図１７】
2006130255.tif 000019